(57)【要約】【課題】遠方からも電気機器の位置を認識し易く、広い視野角の照明が容易な発光部を備えた建物の構造物に取り付けられる電気機器のカバー及び電気機器の組立体を提供する。【解決手段】コンセント11は、壁12の内側にコンセント部11ａが配設され、壁12に形成された孔12ａを覆うカバー13を備えている。コンセント部11ａはカバー13に支持されている。カバー13の表面側に有機ＥＬ素子で形成された発光部16が設けられている。カバー13にはセンサ15が配設され、センサ15は周囲の明るさ及び人が存在することの両方を検知可能に構成され、周囲が暗くかつ人を検知したときに、その検知信号に基づいて発光部16が発光される。【選択図】      図１
2005116252.tif 000002
【特許請求の範囲】
【請求項１】
建物の構造物に取り付けられる電気機器のカバーであって、
前記カバーは、電気機器を使用可能とするための孔を有し、前記カバーの表面側には有機ＥＬ素子で形成された発光部が設けられている電気機器のカバー。
【請求項２】
前記発光部は、前記カバーの表面に貼付された有機ＥＬ素子で形成されている請求項１に記載の電気機器のカバー。
【請求項３】
前記有機ＥＬ素子は、フィルム状の有機ＥＬ素子で形成されている請求項２に記載の電気機器のカバー。
【請求項４】
前記発光部は、前記カバーの表面に直接形成された有機ＥＬ素子で形成されている請求項１に記載の電気機器のカバー。
【請求項５】
建物の構造物に取り付けられる電気機器のカバーであって、
前記カバーは、電気機器を配設するための孔を有し、
前記カバーの裏面には有機ＥＬ素子で形成された発光部が設けられているとともに、
前記カバーの少なくとも前記有機ＥＬ素子と対向する部分は、透明な樹脂で形成されている電気機器のカバー。
【請求項６】
前記発光部は、前記カバーの裏面に貼付された有機ＥＬ素子で形成されている請求項５に記載の電気機器のカバー。
【請求項７】
前記有機ＥＬ素子は、フィルム状の有機ＥＬ素子で形成されている請求項６に記載の電気機器のカバー。
【請求項８】
前記発光部は、前記カバーの裏面に直接形成された有機ＥＬ素子で形成されている請求項５に記載の電気機器のカバー。
【請求項９】
前記カバーには周囲の明るさを検知可能なセンサ及び人が存在することを検知可能なセンサのうち少なくとも一つが設けられ、前記発光部は前記センサの信号に基づいて少なくとも周囲が暗いか人が存在する際に駆動される請求項１〜請求項８のいずれか一項に記載の電気機器のカバー。
【請求項１０】
前記カバーには周囲の明るさ及び人が存在することの両方を検知可能なセンサが設けられ、周囲が暗く、かつ人が存在する際に前記発光部が駆動される請求項１〜請求項８に記載の電気機器のカバー。
【請求項１１】
前記発光部は、電源として通常電源及び蓄電池の両方を使用可能とされ、停電時に駆動が必要な場合は蓄電池から電源が供給される請求項１〜請求項１０のいずれか一項に記載の電気機器のカバー。
【請求項１２】
前記電気機器のカバーは、壁面据え付け用電気機器のカバーである請求項１〜請求項１１のいずれか一項に記載の電気機器のカバー。
【請求項１３】
前記電気機器は、コンセントである請求項１〜請求項１２のいずれか一項に記載の電気機器のカバー。
【請求項１４】
電気機器と、
前記電気機器を建物の構造物に固定するためのブラケットと、
前記電気機器を使用可能とするための孔を有し、前記ブラケットを覆うカバーと
を備えた建物の構造物に取り付けられる電気機器の組立体であって、
前記ブラケットには有機ＥＬ素子で形成された発光部が、前記カバーの裏面に当接又は近傍に配設されるように設けられており、前記カバーは、少なくとも前記有機ＥＬ素子と対向する部分が、透明な樹脂で形成されている電気機器の組立体。
【請求項１５】
前記発光部は、前記ブラケットの表面に貼付された有機ＥＬ素子で形成されている請求項１４に記載の電気機器の組立体。
【請求項１６】
前記有機ＥＬ素子は、フィルム状の有機ＥＬ素子で形成されている請求項１５に記載の電気機器の組立体。
【請求項１７】
前記発光部は、前記ブラケットの表面に直接形成された有機ＥＬ素子で形成されている請求項１４に記載の電気機器の組立体。
【請求項１８】
電気機器と、
有機ＥＬ素子と、
前記電気機器及び前記有機ＥＬ素子を建物の構造物に固定するためのブラケットと、
前記電気機器を使用可能とするための孔と、前記有機ＥＬ素子を利用可能とするための孔とを有し、前記ブラケットを覆うカバーと
を備えた建物の構造物に取り付けられる電気機器の組立体。
【請求項１９】
前記有機ＥＬ素子の発光面が、前記カバーの前記孔から前記カバーの表面より突出するように配置されている請求項１８に記載の電気機器の組立体。
【発明の詳細な説明】
【技術分野】
【０００１】
本発明は、建物の構造物に取り付けられるコンセントやスイッチ等の電気機器のカバー及び電気機器の組立体に係り、詳しくは照明機能を備えた建物の構造物に取り付けられる電気機器のカバー及び電気機器の組立体に関する。
【背景技術】
【０００２】
従来、コンセントの位置を暗い場所でも容易に知ることができるように、コンセントの本体内部に発光素子を配設するとともに、コンセントに透過照明部を配置して、所謂ナイトランプとして機能させることができるコンセントやテーブルタップが提案されている（特許文献１参照）。特許文献１に記載のテーブルタップは、図９に示すように、導通回路４１、発光素子４２、ケース４３及び電源コード４４とを備えている。導通回路４１はプラグ受け端子４５と一体成形され、発光素子４２は一対のプラグ受け端子４５間に抵抗を介して配置されている。ケース４３にはプラグ受け端子４５と対向する箇所に孔４３ａが形成され、孔４３ａを覆うように透光部材４６が嵌合されている。透光部材４６の発光素子４２側には光拡散手段としての切り込み部４６ａが設けられ、発光素子４２からの光を透光部材４６の内部へ効率良く拡散させて、透光部材４６から外部への透過照明をムラなく行うようにしている。発光素子４２として、ネオン管、豆電球、発光ダイオード（ＬＥＤ）、電界発光（ＥＬ）素子が挙げられている。
【特許文献１】登録実用新案第３０８０７８９号公報（第５−７頁、第１，２図）
【発明の開示】
【発明が解決しようとする課題】
【０００３】
ところが、特許文献１に記載のコンセントでは、発光素子４２がケース４３の内部に収容された構成のため、ケース４３に設けられた透光部材４６に光拡散手段（散乱手段）を形成する必要がある。また、光拡散手段を利用しても、９０°強の視野角にはなるが、１８０°の視野角を得ることはできず、遠方からコンセントの位置を認識し難い。また、発光素子４２の配設位置がプラグ受け端子４５間のため、プラグ差込口にプラグが差し込まれた状態では、拡散手段の一部がプラグの陰になり、照度を確保し難いという問題もある。
【０００４】
本発明は、前記の問題に鑑みてなされたものであって、その目的は遠方からも電気機器の位置を認識し易く、広い視野角の照明が容易な発光部を備えた建物の構造物に取り付けられる電気機器のカバー及び電気機器の組立体を提供することにある。
【課題を解決するための手段】
【０００５】
前記の目的を達成するため、請求項１に記載の発明は、建物の構造物に取り付けられる電気機器のカバーであって、前記カバーは、電気機器を使用可能とするための孔を有し、前記カバーの表面側には有機ＥＬ素子で形成された発光部が設けられている。
【０００６】
この発明では、発光部が面発光を行う有機ＥＬ素子で形成されているため、従来の照明機能を有するコンセントと異なり、点状光源や線状光源である発光素子の照明光を効率良く拡散させて広い範囲を照明するための光拡散手段を設けずに広い範囲を照明できるとともに、遠くから電気機器の位置を認識することが容易になる。また、有機ＥＬ素子を使用しているため、発光部を薄く（１ｍｍ未満）でき、発光部を含めたカバーの壁からの出っ張りを少なくできる。また、有機ＥＬ素子は有機ＥＬ層（発光層）の材質を変えることにより発光色を種々変更できるため、意匠的な自由度も大きく、ニーズに合わせて様々な意匠を施すことができる。
【０００７】
請求項２に記載の発明は、請求項１に記載の発明において、前記発光部は、前記カバーの表面に貼付された有機ＥＬ素子で形成されている。この発明では、既存の壁面据え付け用電気機器のカバーに有機ＥＬ素子を貼付することと、直流への変換器を設けることで、既存の機器のリフォームに容易に対応できる。
【０００８】
請求項３に記載の発明は、請求項２に記載の発明において、前記有機ＥＬ素子は、フィルム状の有機ＥＬ素子で形成されている。この発明では、既存の壁面据え付け用電気機器のカバーにフィルム状の有機ＥＬ素子を貼付することと、直流への変換器を設けることで、既存の機器のリフォームに容易に対応できる。
【０００９】
請求項４に記載の発明は、請求項１に記載の発明において、前記発光部は、前記カバーの表面に直接形成された有機ＥＬ素子で形成されている。この発明では、フィルム状の有機ＥＬ素子をカバーの表面に貼付する構成に比較して、部品点数を減らすことができる。
【００１０】
請求項５に記載の発明は、建物の構造物に取り付けられる電気機器のカバーであって、
前記カバーは、電気機器を配設するための孔を有し、前記カバーの裏面には有機ＥＬ素子で形成された発光部が設けられているとともに、前記カバーの少なくとも前記有機ＥＬ素子と対向する部分は、透明な樹脂で形成されている。この発明では、請求項１に記載の発明と同様の効果を奏する。
【００１１】
請求項６に記載の発明は、請求項５に記載の発明において、前記発光部は、前記カバーの裏面に貼付された有機ＥＬ素子で形成されている。この発明では、請求項５に記載の発明と同様の効果を奏する。
【００１２】
請求項７に記載の発明は、請求項６に記載の発明において、前記有機ＥＬ素子は、フィルム状の有機ＥＬ素子で形成されている。この発明では、請求項５に記載の発明と同様の効果を奏する。
【００１３】
請求項８に記載の発明は、請求項５に記載の発明において、前記発光部は、前記カバーの裏面に直接形成された有機ＥＬ素子で形成されている。この発明では、フィルム状の有機ＥＬ素子をカバーの裏面に貼付する構成に比較して、部品点数を減らすことができる。
【００１４】
請求項９に記載の発明は、請求項１〜請求項８のいずれか一項に記載の発明において、前記カバーには周囲の明るさを検知可能なセンサ及び人が存在することを検知可能なセンサのうち少なくとも一つが設けられ、前記発光部は前記センサの信号に基づいて少なくとも周囲が暗いか人が存在する際に駆動される。ここで、「周囲が暗い」とは、一般的な視力の人が、電気機器の位置や、歩行の妨げとなるような障害物の位置を目視で認識するのに照明を必要とする明るさであることを意味する。この発明では、照明が必要なときに発光部が駆動されて照明が行われるので、無駄な照明を抑制できる。
【００１５】
請求項１０に記載の発明は、請求項１〜請求項８のいずれか一項に記載の発明において、前記カバーには周囲の明るさ及び人が存在することの両方を検知可能なセンサが設けられ、周囲が暗く、かつ人が存在する際に前記発光部が駆動される。この発明では、照明が不要なほど周囲が明るい場合や、周囲が暗くても人がいない場合には発光部が発光せず、無駄な電力消費を防止することができる。
【００１６】
請求項１１に記載の発明は、請求項１〜請求項１０のいずれか一項に記載の発明において、前記発光部は、電源として通常電源及び蓄電池の両方を使用可能とされ、停電時に駆動が必要な場合は蓄電池から電源が供給される。この発明では、停電時にも蓄電池から電源が供給されて、発光部が発光することにより、非常灯として利用することができる。また、有機ＥＬ素子は低電圧の直流駆動なので、蓄電池として小型の蓄電池を使用でき、設置スペースの確保が容易となる。また、蛍光灯のように交流電源が必要な発光部に比較して、非常用電源装置の構造が簡単になる。
【００１７】
請求項１２に記載の発明は、請求項１〜請求項１１のいずれか一項に記載の発明において、前記電気機器のカバーは、壁面据え付け用電気機器のカバーである。この発明では、壁面据え付け用電気機器のカバーにおいて請求項１〜請求項８のいずれか一項に記載の発明に対応する作用効果を奏する。
【００１８】
請求項１３に記載の発明は、請求項１〜請求項１２のいずれか一項に記載の発明において、前記電気機器は、コンセントである。この発明では、コンセントにおいて請求項１〜請求項９のいずれか一項に記載の発明に対応する作用効果を奏する。
【００１９】
請求項１４に記載の発明は、電気機器と、前記電気機器を建物の構造物に固定するためのブラケットと、前記電気機器を使用可能とするための孔を有し、前記ブラケットを覆うカバーとを備えた建物の構造物に取り付けられる電気機器の組立体である。そして、前記ブラケットには有機ＥＬ素子で形成された発光部が、前記カバーの裏面に当接又は近傍に配設されるように設けられており、前記カバーは、少なくとも前記有機ＥＬ素子と対向する部分が、透明な樹脂で形成されている。この発明では、電気機器がブラケットを介して建物の構造物に固定される。また、発光部はブラケットに設けられ、カバーの透明な樹脂部分から光が照射される。
【００２０】
請求項１５に記載の発明は、請求項１４に記載の発明において、前記発光部は、前記ブラケットの表面に貼付された有機ＥＬ素子で形成されている。この発明では、請求項１４に記載の発明と同様の効果を奏する。
【００２１】
請求項１６に記載の発明は、請求項１５に記載の発明において、前記有機ＥＬ素子は、フィルム状の有機ＥＬ素子で形成されている。この発明では、請求項１５に記載の発明と同様の効果を奏する。
【００２２】
請求項１７に記載の発明は、請求項１４に記載の発明において、前記発光部は、前記ブラケットの表面に直接形成された有機ＥＬ素子で形成されている。この発明では、有機ＥＬ素子をブラケットの表面に貼付する構成に比較して、部品点数を減らすことができる。
【００２３】
請求項１８に記載の発明は、電気機器と、有機ＥＬ素子と、前記電気機器及び前記有機ＥＬ素子を建物の構造物に固定するためのブラケットと、前記電気機器を使用可能とするための孔と、前記有機ＥＬ素子を利用可能とするための孔とを有し、前記ブラケットを覆うカバーとを備えている。この発明では、電気機器と、有機ＥＬ素子とがブラケットを介して建物の構造物に固定される。そして、ブラケットはカバーで覆われている。
【００２４】
請求項１９に記載の発明は、請求項１８に記載の発明において、前記有機ＥＬ素子の発光面が、前記カバーの前記孔から前記カバーの表面より突出するように配置されている。従って、この発明では、有機ＥＬ素子がカバーの裏側に配置される場合に比較して、有機ＥＬ素子が発光した状態において有機ＥＬ素子を遠くから視認し易い。
【発明の効果】
【００２５】
本発明によれば、発光部を備えた建物の構造物に取り付けられる電気機器及び電気機器の組立体の位置を遠方からも認識し易くなるとともに、広い視野角の照明が容易になる。
【発明を実施するための最良の形態】
【００２６】
（第１の実施形態）
以下、本発明を建物の構造物に取り付けられる電気機器としてのコンセントに具体化した第１の実施形態を図１〜図３に従って説明する。図１（ａ）はコンセントの正面図、（ｂ）は模式断面図である。図２は有機ＥＬ（エレクトロルミネッセンス）素子フィルムの模式断面、図３はコンセントの回路図である。
【００２７】
図１（ａ），（ｂ）に示すように、コンセント１１は、壁１２に形成された孔１２ａ内に電気部品としてのコンセント部１１ａが収容され、孔１２ａを覆うカバー１３が壁１２に固定されている。カバー１３はコンセント部１１ａ等を支持する支持部材の役割も果たしている。カバー１３にはコンセント部１１ａを使用可能とするための孔１３ａが形成され、プラグ差込口１４を備えたコンセント部１１ａは孔１３ａに嵌合された状態でカバー１３に支持されている。
【００２８】
コンセント部１１ａは上下に２個並んで配設され、その中央部にセンサ１５が配設されている。センサ１５は周囲の明るさ及び人が存在することの両方を検知可能に構成されている。センサ１５は、例えば赤外線センサ及び照度センサ（光センサ）を備え、赤外線センサにより人が存在することを検知し、照度センサにより周囲が暗いか否かを検知する。
【００２９】
カバー１３の表面側には発光部１６が設けられている。発光部１６はカバー１３の表面に貼付されたフィルム状の有機ＥＬ素子１７で形成されている。図２に示すように、有機ＥＬ素子１７は、基板としての樹脂フィルム１８上に、防湿層１９、第１電極２０、有機ＥＬ層２１、第２電極２２が順に積層され、かつ第２電極２２より外側に有機ＥＬ層２１を酸素及び水分から保護する保護膜２３が形成されている。この実施の形態では第１電極２０が陽極を構成し、第２電極２２が陰極を構成する。第１電極２０、有機ＥＬ層２１及び第２電極２２はともに、カバー１３とほぼ同じ大きさに形成された四角形状の平面に、孔１３ａ及びセンサ１５と対応する孔が形成された形状として形成されている。樹脂フィルム１８は可視光透過性の基板を構成し、防湿層１９及び第１電極２０も可視光透過性（透明）である。有機ＥＬ素子１７は有機ＥＬ層２１の発光が樹脂フィルム１８側から取り出される（出射される）所謂ボトムエミッションタイプの有機ＥＬ素子を構成する。そして、有機ＥＬ素子１７は樹脂フィルム１８が表面に露出するように、保護膜２３側がカバー１３と対向する状態でカバー１３に貼付される。
【００３０】
保護膜２３は第１電極２０、有機ＥＬ層２１及び第２電極２２の互いに隣接する面以外の部分を覆うように形成されている。保護膜２３は、少なくとも水分（水蒸気）及び酸素の透過を抑制する機能を有し、かつ、塗布により保護膜２３を形成可能な材料で形成されている。保護膜２３の材料としては、例えば、酸化ケイ素、窒化ケイ素、ポリシラザン等が使用されている。
【００３１】
第１電極２０は透明導電材、この実施形態ではＩＴＯ（インジウム錫酸化物）で形成されている。有機ＥＬ層２１には公知の構成のものが使用され、例えば、第１電極２０側から順に、正孔注入層、発光層及び電子注入層の３層あるいは正孔注入層、正孔輸送層、発光層及び電子輸送層の４層で構成されている。有機ＥＬ層２１は白色発光を行うように構成されている。第２電極２２は材料として光に対する反射性を有する金属が使用され、金属として、例えばアルミニウム（アルミニウム合金を含む）が使用されている。
【００３２】
なお、図２では模式的に各層の厚さをほぼ同じに示しているが、実際は樹脂フィルム１８が厚さ０．１〜０．５ｍｍであるのに対して、防湿層１９、第１電極２０、有機ＥＬ層２１、第２電極２２及び保護膜２３の各層の合計の厚さは、樹脂フィルム１８の厚さの１／５０未満であり、フィルム状の有機ＥＬ素子１７は実質的に平坦である。
【００３３】
防湿層１９としては、例えば、特開２００３−５３８８１号公報に開示された水蒸気バリア性プラスチックフィルムを製造する際に使用されるものと同様に、有機層と無機層とが交互に少なくとも一層以上積層され、さらに真空槽内で前記有機層を架橋させることにより得られる層で構成されている。有機層はアクリロイル基又はメタクリロイル基を有するモノマーを架橋させて得られ、架橋反応による体積収縮立が１０％より小さい高分子を主成分とする。無機層はケイ素酸化物、ケイ素窒化物又はケイ素窒化酸化物を主成分とする。モノマーの成膜は電子線蒸着、イオンプレーティング、プラズマＣＶＤ、抵抗加熱蒸着法等の真空成膜法により行われる。モノマーの架橋法としては電子線架橋反応やＵＶ架橋反応が用いられる。
【００３４】
そして、有機層の具体例としては、ジペンタエリスリトールペンタヘキサアクリレートにラジカル開始剤を１ｗｔ％添加した未硬化樹脂、３官能イソシアヌル酸ＥＯ変性トリアクリレートにラジカル開始剤を１ｗｔ％添加した未硬化樹脂等が使用される。樹脂フィルム１８としては、例えば、ポリエーテルサルホンフィルム（ポリエーテルスルホンフィルム）、ポリカーボネートフィルムが使用される。
【００３５】
次にコンセント１１の電気的構成を説明する。図３に示すように、屋内配線２４に対して、プラグ端子２５が並列に接続されている。また、屋内配線２４に対して抵抗ＲとダイオードＤを介して有機ＥＬ素子１７が直列に接続されている。有機ＥＬ素子１７とダイオードＤとの間にはセンサ１５の接点１５ｓが直列に接続されている。抵抗Ｒには交流電源の電圧（通常１００Ｖ）を有機ＥＬ素子１７の駆動電圧（例えば、数Ｖ程度）に降圧するのに必要な抵抗値のものが使用されている。また、接点１５ｓと有機ＥＬ素子１７との直列回路２６に対して蓄電池２７が並列に接続されている。接点１５ｓは実際は、赤外線センサに対応するものと、光センサに対応するものとの２個あるが、便宜上１個で示している。また、接点１５ｓを有接点として図示しているが、実際はトランジスタ等の無接点スイッチが使用される。なお、図１（ｂ）では、抵抗Ｒ、ダイオードＤ、接点１５ｓ及び蓄電池２７をまとめて駆動制御部２８としてブロックで示している。
【００３６】
次に前記のように構成されたコンセント１１の作用を説明する。
コンセント１１はセンサ１５が見える点を除き、外観は従来のコンセントと変わらない。接点１５ｓ及び有機ＥＬ素子１７の直列回路２６と、蓄電池２７とに対して、１００Ｖの電圧が抵抗Ｒで降圧された所定電圧がダイオードＤを介して印加されている。従って、蓄電池２７は、交流がダイオードＤで整流された直流電力によって充電される。
【００３７】
コンセント１１の周囲が明るい状態又は人がコンセント１１の近くにいない状態では、センサ１５の接点１５ｓはオフ状態に保持され、有機ＥＬ素子１７には電力が供給されず、発光しない。コンセント１１の周囲が暗くなると、光センサがそのことを検知し、光センサに関してはその接点（スイッチ）がオン状態となる。しかし、人がコンセント１１の近くにいない状態では、赤外線センサの接点（スイッチ）がオフ状態のため、センサ１５の接点１５ｓはオフ状態に保持される。この状態で、コンセント１１に人が近づくと、赤外線センサが人を検知してその接点（スイッチ）がオン状態となり、センサ１５の接点１５ｓがオン状態になり、有機ＥＬ素子１７に屋内配線２４から抵抗Ｒ及びダイオードＤを介して電力が供給されて、有機ＥＬ素子１７が白色発光する。従って、コンセント１１の周囲が暗くても、人がいない状態、即ち人がコンセントを使用する必要がない状態では、有機ＥＬ素子１７は発光されない。
【００３８】
有機ＥＬ素子１７は面発光で、しかも、カバー１３の表面を覆うように設けられているため、その視野角が１８０°となり、従来装置と異なり、光拡散手段を設けずに広い範囲を照明でき、遠くから認識することが可能になる。また、有機ＥＬ素子１７は非常に薄い（１ｍｍ未満）ため、発光部１６を含めたカバー１３の壁１２からの出っ張りを少なくできる。
【００３９】
停電時には屋内配線２４からの有機ＥＬ素子１７への電力供給が停止される。しかし、蓄電池２７が接点１５ｓ及び有機ＥＬ素子１７の直列回路２６に並列に接続されているため、直列回路２６に対して屋内配線２４からの電力供給がない状態では、蓄電池２７から直列回路２６に電力が供給可能となる。そして、接点１５ｓがオンの状態、即ちコンセント１１の周囲の照明が必要な時には、有機ＥＬ素子１７が駆動されて有機ＥＬ層２１が発光する。
【００４０】
この実施の形態では以下の効果を有する。
（１）  コンセント１１は壁１２に形成された孔１２ａを覆うカバー１３の表面側に有機ＥＬ素子１７で形成された発光部１６が設けられている。従って、発光部１６が面発光を行うため、従来の照明機能を有するコンセントと異なり、光拡散手段を設けずに広い範囲を照明でき、コンセント１１を遠くから認識することが可能になる。また、発光部１６として有機ＥＬ素子１７を使用しているため、発光部１６を薄く（１ｍｍ未満）でき、発光部１６を含めたカバー１３の壁１２からの出っ張りを少なくできる。
【００４１】
（２）  有機ＥＬ素子１７が白色発光のため、非常灯として使用される場合、周囲の色を識別でき、他の色に比較して好ましい。また、着色透明フィルムを貼付することで、有機ＥＬ層（発光層）の材質を変えることなく、色を変更できる。
【００４２】
（３）  発光部１６は、カバー１３の表面に貼付されたフィルム状の有機ＥＬ素子１７で形成されている。従って、既存のコンセントのカバーにフィルム状の有機ＥＬ素子１７を貼付することと、直流への変換器を設けることで、既存の機器のリフォームに容易に対応できる。
【００４３】
（４）  カバー１３には周囲の明るさ及び人が存在することの両方を検知可能なセンサ１５が設けられ、発光部１６はセンサ１５の信号に基づいて、周囲が暗く、かつ人が存在する際に駆動される。従って、照明が不要なほど周囲が明るい場合や、周囲が暗くても人がいない場合には発光部１６が発光されず、無駄な電力消費を防止することができる。
【００４４】
（５）  発光部１６は、電源として通常電源（屋内配線２４）及び蓄電池２７の両方を使用可能とされ、停電時に駆動が必要な場合は蓄電池２７から電源（電力）が供給される。従って、停電時にも蓄電池２７から電源が供給されて、発光部１６が発光することにより、非常灯として利用することができる。また、有機ＥＬ素子１７は低電圧（例えば、数Ｖ程度）の直流駆動なので、蓄電池２７として小型の蓄電池を使用でき、設置スペースの確保が容易となる。また、蛍光灯のように交流電源が必要な発光部に比較して、非常用電源装置の構造が簡単になる。
【００４５】
（６）  フィルム状の有機ＥＬ素子１７は基板としての樹脂フィルム１８側が表面となるようにカバー１３に貼付されている。従って、樹脂フィルム１８側をカバー１３と対向するように貼付する場合に比較して、端子部を他の配線と接続するための構成が容易になる。
【００４６】
（７）  第２電極２２が反射性を有する金属で形成されているため、有機ＥＬ層２１から第２電極２２側へ出射した光が反射されて、樹脂フィルム１８から出射される。従って、第２電極２２が反射性を有さない場合に比較して、樹脂フィルム１８から出射される光量を多くできる。
【００４７】
（第２の実施形態）
次に第２の実施形態を図４に従って説明する。この実施形態では、電気機器がブラケットを介して建物の構造物に固定されるようになっている点が前記第１の実施形態と大きく異なっている。第１の実施形態と同様な部分は同一符号を付して詳しい説明を省略する。なお、図４は電気機器の組立体の模式分解斜視図である。
【００４８】
電気機器の組立体３０は、電気機器としてのコンセント３１と、コンセント３１を建物の構造物に固定するためのブラケット３２と、コンセント３１を使用可能とするための孔３３ａを有し、ブラケット３２を覆うカバー３３とを備えている。ブラケット３２にはコンセント３１を支持可能とする孔３２ａが形成されている。コンセント３１は孔３２ａに嵌合された状態でブラケット３２に支持される。
【００４９】
ブラケット３２には有機ＥＬ素子で形成された発光部１６が、カバー３３の裏面に当接又は近傍に配設されるように設けられており、カバー３３は、少なくとも有機ＥＬ素子と対向する部分が、透明な樹脂で形成されている。「近傍に配設」とは、有機ＥＬ素子の特徴である１８０°の視野角を狭めない範囲で配設されていることを意味し、より具体的には、カバー３３と発光部１６との間隔が、１ｍｍ以下であることが好ましい。発光部１６は、ブラケット３２の表面に貼付されたフィルム状の有機ＥＬ素子で形成されている。なお、図示の都合上、発光部１６の厚さとブラケット３２の厚さを同じに表しているが、実際は発光部１６の厚さがブラケット３２の厚さよりずっと薄く、ブラケット３２の厚さの１／１０未満である。
【００５０】
この実施形態の組立体３０はブラケット３２を介して壁等の建物の構造物に固定されて使用される。なお、ブラケット３２の裏側には駆動制御部２８（図示せず）が設けられ、周囲の明るさを検知可能なセンサ（図示せず）及び人が存在することを検知可能なセンサ（図示せず）からの信号に基づいて発光部１６が駆動されるようになっている。
【００５１】
この第２の実施形態によれば、第１の実施形態の（２），（５），（７）と同様な効果を有する他に次の効果を有する。
（８）ブラケット３２には有機ＥＬ素子で形成された発光部１６が、カバー３３の裏面に当接又は近傍に配設されるように設けられ、カバー３３は、少なくとも有機ＥＬ素子と対向する部分が、透明な樹脂で形成されている。従って、発光部１６が面発光を行うため、従来の照明機能を有するコンセントと異なり、光拡散手段を設けずに広い範囲を照明でき、コンセント１１を遠くから認識することが可能になる。また、発光部１６として有機ＥＬ素子を使用しているため、発光部１６を薄く（１ｍｍ未満）でき、発光部１６及びカバー３３の壁１２からの出っ張りを少なくできる。
【００５２】
（９）  周囲の明るさを検知可能なセンサ及び人が存在することを検知可能なセンサが設けられ、発光部１６はセンサの信号に基づいて、周囲が暗く、かつ人が存在する際に駆動される。従って、照明が不要なほど周囲が明るい場合や、周囲が暗くても人がいない場合には発光部１６が発光されず、無駄な電力消費を防止することができる。
【００５３】
（第３の実施形態）
次に第３の実施形態を図５に従って説明する。この実施形態では、電気機器の他に有機ＥＬ素子がブラケットを介して建物の構造物に固定されるようになっている点が前記第２の実施形態と異なっている。第２の実施形態と同様な部分は同一符号を付して詳しい説明を省略する。なお、図５は電気機器の組立体の模式分解斜視図である。
【００５４】
電気機器の組立体３０は、電気機器としてのコンセント３１と、有機ＥＬ素子３４と、コンセント３１及び有機ＥＬ素子３４を建物の構造物に固定するためのブラケット３２と、ブラケット３２を覆うカバー３３とを備えている。カバー３３はコンセント３１を使用可能とするための孔３３ａと、有機ＥＬ素子３４を使用可能とするための孔３３ｂとを有している。有機ＥＬ素子３４は、ブラケット３２の表面に貼付されたフィルム状の有機ＥＬ素子で形成されている。有機ＥＬ素子３４は、その発光面３４ａが、カバー３３の孔３３ｂからカバー３３の表面より突出するように配置される。
【００５５】
この実施形態では、（８）の効果を除いて、第２の実施形態と同様な効果を有する。また、ブラケット３２に固定された有機ＥＬ素子３４が、カバー３３に形成された孔３３ｂからカバー３３の表面より突出するように配置されるため、有機ＥＬ素子がカバー３３の裏側に配置される第２の実施形態に比較して、有機ＥＬ素子３４が発光した状態において有機ＥＬ素子３４を遠くから視認し易い。
【００５６】
実施の形態は前記に限定されるものではなく、例えば、次のように具体化してもよい。  ○  交流を直流に変換する回路として、ダイオードＤを１個設ける構成に代えて、例えば、図６に示すように、４個のダイオードＤを使用したブリッジ回路２９を設けてもよい。ダイオードＤを１個設けた場合は半波整流であるが、ブリッジ回路２９を設けた場合には全波整流が行われる。
【００５７】
○  交流電源の電圧を降圧する手段として抵抗Ｒだけを設ける構成に代えて、図７に示すようにトランスＴを使用して降圧する構成としてもよい。この場合、抵抗Ｒのみで降圧する構成に比較し安定した電圧を供給できる。
【００５８】
○  整流回路の直流出力側に平滑用のコンデンサを接続してもよい。この場合、有機ＥＬ素子１７や蓄電池２７に供給される直流の脈動が低減される。
○  フィルム状の有機ＥＬ素子１７に代えて、基板としてガラス板を使用したボトムエミッションタイプの有機ＥＬ素子１７を使用して、該有機ＥＬ素子１７を基板が外側となるようにカバー１３やブラケット３２に貼付してもよい。この場合、油性インクを使用したフェルトペン等による書き込みを行うことができる。
【００５９】
○  カバー１３に有機ＥＬ素子で形成された発光部１６を設ける場合、カバー１３の少なくとも一部が透明な樹脂で形成されるとともに、カバー１３の裏面に有機ＥＬ素子で形成された発光部が設けられている構成としてもよい。有機ＥＬ素子はカバー１３の裏面に直接形成された構成、フィルム状の有機ＥＬ素子が貼付された構成、基板としてガラス基板を使用した有機ＥＬ素子が貼付された構成のいずれであってもよい。
【００６０】
○  発光部１６が、カバー１３の表面に直接形成された有機ＥＬ素子で形成された構成としてもよい。この構成ではカバー１３が基板となり、有機ＥＬ素子１７からの光の取り出し方向が基板と反対側となる所謂トップエミッションタイプの有機ＥＬ素子１７となる。従って、少なくとも有機ＥＬ層２１を挟んでカバー１３と反対側に位置する電極は可視光透過性の材質で形成される。この場合、フィルム状の有機ＥＬ素子１７をカバー１３の表面に貼付する構成に比較して、部品点数を減らすことができる。
【００６１】
○  ブラケット３２の表面に発光部１６や有機ＥＬ素子３４を設ける第２の及び第３の実施形態においても、フィルム状の有機ＥＬ素子を貼付する代わりに、有機ＥＬ素子をブラケット３２の表面に直接形成してもよい。この場合も、有機ＥＬ素子は有機ＥＬ素子からの光の取り出し方向が基板と反対側となる所謂トップエミッションタイプとなる。
【００６２】
○  センサ１５として周囲の明るさ及び人が存在することの両方を検知可能なセンサに限らず、少なくとも一方を検知可能なセンサが設けられた構成としてもよい。例えば、周囲の明るさが、一般的な視力の人がカバーを目視で認識するのに照明を必要とする明るさ未満でオン状態となり、前記明るさ以上ではオフ状態となるセンサを使用すれば、暗くなると有機ＥＬ素子１７が発光し、明るい時は発光しない。また、人を検知した時にオン状態となるセンサを使用すれば、人がいるときにのみ有機ＥＬ素子１７が発光される。これらの構成では、照明が必要なとき有機ＥＬ素子１７が駆動されて照明が行われるので、常時発光される場合に比較して無駄な電力使用を抑制できる。
【００６３】
○  センサ１５として周囲の明るさ及び人が存在することの両方を検知可能なセンサに限らず、周囲の明るさを検知するセンサと、人の存在を検知するセンサとが別々に設けられていてもよい。
【００６４】
○  カバー１３にセンサ１５が設けられる構成に限らず、建物の構造物にセンサが設けられた構成にしてもよい。
○  人の存在を検知するセンサは赤外線センサ以外のセンサ、例えば、超音波センサであってもよい。
【００６５】
○  センサ１５を設けずに、有機ＥＬ素子１７が常に発光する構成としてもよい。
○  有機ＥＬ層２１は白色発光に限らず、赤、青、緑等の他の色の発光を行うものでもよい。ユーザーのニーズに合わせて適宜の色としてよい。有機ＥＬ素子１７は有機ＥＬ層２１（発光層）の材質を変えることにより発光色を種々変更できるため、意匠的な自由度も大きく、ニーズに合わせて様々な意匠を施すことができる。
【００６６】
〇  基板（樹脂フィルム１８）側に配設される第１電極２０を陰極とし、第２電極２２を陽極としてもよい。この場合、有機ＥＬ層２１の構成もそれに対応して変更する。例えば、第１電極２０側から電子注入層、発光層及び正孔注入層の３層あるいは電子注入層、電子輸送層、発光層、正孔輸送層及び正孔注入層の５層とする。
【００６７】
○  有機ＥＬ層２１は、発光層のみの単層、または正孔注入層、正孔輸送層、正孔注入輸送層、正孔阻止層、電子注入層、電子輸送層、電子阻止層の一層以上と発光層が積層された多層のいずれであってもよい。
【００６８】
○  コンセント１１に限らず、壁１２に設けられるスイッチ等、他の壁面据え付け用電気機器のカバーに適用してもよい。この場合も、コンセント１１に適用した場と同様な効果が得られる。
【００６９】
○  壁面備え付け用電気機器に限らず、例えば、図８に示すように、建物の構造物としての柱３５に設けられるコンセント３１や他の電気機器等、建物の構造物に取り付けられる電気機器ならばなんでもよい。図８に示すように、箱状のコンセント３１が柱３５から突出する状態で固定される場合、カバー３６はプラグ差込口１４側の面だけを覆うものに限らず、コンセント３１の柱３５と対向する面を除く複数の面を覆う構成とし、各面に発光部を設けてもよい。
【００７０】
○  第２電極２２は可視光に対する反射性を有していなくてもよい。しかし、反射性を有する方が有機ＥＬ層２１から第２電極２２側に向かった光が第２電極２２で反射されて基板（樹脂フィルム１８）側から出射されるため、第２電極２２の反射光を利用しない形態に比較して、基板から出射する光量を多くすることができる。従って、有機ＥＬ層２１の発光量を少なくしても必要な光量を得ることができ、消費電力量を低減することができる。
【００７１】
○  透明電極の材質はＩＴＯに限らず、例えば、酸化亜鉛を使用してもよい。
○  第１電極２０を導電性を有する透明な材質ではなく、極薄い金属層で透明に構成してもよい。極薄いとは５０ｎｍ以下を意味し、０．５〜２０ｎｍの範囲が好ましい。
【００７２】
○  保護膜２３を酸化ケイ素や窒化ケイ素で構成する代わりに、防湿層１９で形成してもよい。
以下の技術的思想（発明）は前記実施の形態から把握できる。
【００７３】
（１）  請求項１〜請求項１９のいずれか一項に記載の発明において、前記有機ＥＬ素子は白色発光を行うように構成されている。
（２）  請求項１１に記載の発明において、停電時には非停電時より高い電圧が有機ＥＬ素子に印加される構成となっている。
【図面の簡単な説明】
【００７４】
【図１】（ａ）は第１の実施形態のコンセントの正面図、（ｂ）は（ａ）のＢ−Ｂ線における模式断面図。
【図２】有機ＥＬ素子フィルムの模式断面。
【図３】コンセントの回路図。
【図４】第２の実施形態の組立体の模式分解斜視図。
【図５】第３の実施形態の組立体の模式分解斜視図。
【図６】整流回路の別例の回路図。
【図７】トランスを使用した降圧回路を備えた別例の整流回路の回路図。
【図８】別の実施形態のコンセントの固定状態を示す模式斜視図。
【図９】従来技術のテーブルタップの断面図。
【符号の説明】
【００７５】
１１，３１…建物の構造物に取り付けられる電気機器としてのコンセント、１２ａ，１３ａ，３２ａ，３３ａ，３３ｂ…孔、１３，３３，３６…カバー、１５…センサ、１６…発光部、１７，３４…有機ＥＬ素子、２７…蓄電池、３０…組立体、３２…ブラケット、３４ａ…発光面。
【図１】
2005116252.tif 000003
【図２】
2005116252.tif 000004
【図３】
2005116252.tif 000005
【図４】
2005116252.tif 000006
【図５】
2005116252.tif 000007
【図６】
2005116252.tif 000008
【図７】
2005116252.tif 000009
【図８】
2005116252.tif 000010
【図９】
2005116252.tif 000011